【事件の表示】
　特願２００２−１７０３９２「データ再生装置、再生方法、及び再生装置の制御を行う回路」拒絶査定不服審判事件〔平成１６年　１月１５日出願公開、特開２００４−　１４０９０〕について、次のとおり審決する。
【結　論】
　本件審判の請求は、成り立たない。
【理　由】
１．手続の経緯
　
　本願は、平成１４年６月１１日に出願したものであって、平成１９年５月２４日付け拒絶理由通知に対して同年７月３０日付けで手続補正がなされたが、同年８月１７日付けで拒絶査定がなされ、これに対し、同年９月２０日付けで拒絶査定不服審判が請求されたものである。
　
２．本願発明
　
　本願の請求項１ないし７に係る発明は、平成１９年７月３０日付け手続補正により補正された特許請求の範囲の請求項１ないし７に記載された事項により特定されるとおりのものと認められるところ、請求項６に係る発明（以下「本願発明」という。）は、次のとおりのものである。
　
「　【請求項６】　記録媒体に記録されたデータを再生する再生手段を制御する回路であって、
　再生されたデータをホスト・システムに転送する転送手段と、
　データを再生する再生手段のリードゲートをアサートする信号を出力する信号出力手段とを備え、
　環境温度又は装置内の温度を検出する温度検出手段が所定の条件を満たす温度変化を検出した場合に、前記信号出力手段は、前記ホスト・システムから再生を指示された前記記録媒体内の第１のセクタ以外の前記第２のセクタに格納されたデータを再生する位置に再生ヘッドがある際に、リードゲートをアサートする信号を出力することにより、前記第２のセクタからデータが再生された後の再生回路適応結果を用いて再生手段を構成する回路を適応させ、
　前記転送手段は、前記第２のセクタから再生されたデータを前記ホスト・システムに転送しない、
　ことを特徴とする回路。」
　
３．引用例
　
　原査定の拒絶の理由に引用された特開２０００−１０５９０１号公報（平成１２年４月１１日公開、以下「引用例１」という。）には、図面と共に、以下の記載がある。（なお、下線は当審で付与した。）
　
（１）「【０００２】
【従来の技術】従来技術による磁気ディスク装置の構成と再生動作を説明する。図１２に磁気ディスク装置（ＨＤＤ）１０の構成の一例を示す。ＨＤＤ１０は、ヘッドディスクアセンブリ（ＨＤＡ）２０と、パッケージ基板（ＰＣＢ）３０とで構成される。ＨＤＡ２０は、
磁気ディスク
ハードディスクコントローラチップ（ＨＤＣ）
【０００３】再生時の動作を図１２〜１５を用いて説明する。図１２の磁気ディスク２−１から磁気ヘッド１−１のＭＲヘッドで検出された再生磁界に対応する再生信号は、サスペンション１０８上の配線を介してＲ／ＷＩＣ１０４に入力される。Ｒ／ＷＩＣ１０４は、予めＭＰ２４を介して磁気ヘッドの選択と選択したＭＲヘッドのセンス電流値が設定される。磁気ディスク２−１からの再生磁界によるＭＲヘッドの抵抗変化を電圧の変化に変換し、更にＲ／ＷＩＣ１０４はこの再生信号を数十〜数百ｍＶｐ−ｐに増幅してＳＰＣ２１に出力する。この信号３３は、図１３のＳＰＣ２１の
再生回路（ＲＳＰＣ）
【０００４】図１４はＲＳＰＣ２０１の構成を示す。ＲＳＰＣ２０１の初段の可変利得増幅器（ＶＧＡ）２１０で適切な振幅に増幅され、アナログ等化回路（ＡＦ）２１１で、不要な高域雑音が除去されると共に再生波形が粗く等化される。この後にＡ／Ｄ変換器（ＡＤＣ）２１２でディジタル信号化され、後段のディジタル等化器（ＦＩＲ）２１３で精密に等化される。この信号は、更に最尤復号器（ＭＬ）２１４でシリアルデータ列に複合され、このデータ列からシンクバイト検出回路（ＳＢＤＥＴ）２１５がユーザーデータの開始を示すシンクバイト（ＳＢ）を検出する。この検出結果を基にシリアルデータ列をパラレルデータに変換し、復調回路（ＤＥＣ）２１６で復調されて、更にデスクランブラ（ＤＳＣ）２１７を介してデータ３４が復元される。更に図１３のインタフェース（ＩＮＴ）２０２を介してＨＤＣ２２に再生データ３５が出力される。更に
ＨＤＣ２２に入力されたデータ３５は、
ＨＢＩ２５を介してユーザー（ＨＯＳＴ  ＰＣ等）にデータ４８として出力される。
【０００５】ここで、図１５に示すようにシリンダＣｎからＣｍにシークして、データセクタＤＳ１，ＤＳ２，ＤＳ３．．．と複数セクタをリードする場合の制御動作を説明する。ＴＲＫ＿ＷＤＴＨには、サーボやデータ領域の配置を示してある。サーボコントローラ（ＳＲＶＣ）２３はディスク面上に記録されたサーボ信号ＳＲＶｉを逐次再生して、サーボ信号処理回路（ＳＳＰＣ）２０４で位置決め信号４２を得ることによって位置決めを制御する。シーク命令（ＳＥＥＫ）４０がＭＰ２４からＳＲＶＣ２３に出され、ＳＲＶＣ２３がサーボ領域の信号ＳＲＶｌ（図１５）で得られた位置決め信号４２を解析して、データを再生できる可能性がある状態であると判断すると、リードシークコンプリート信号（ＲＤ＿ＳＫ＿ＣＯＭＰ）４７をＨＤＣ２２に出力し、
ＨＤＣ２２はデータ領域ＤＳ１からリードゲート（ＲＧ）３６を出力する。
【０００６】再生時には、図１４に示すように、
ＩＮＴ２０２を介して再生回路（ＲＳＰＣ）２０１に入力されるＲＧ３７は、ＲＳＰＣ２０１の殆どの部位を動作させる
　
（２）「【００２３】この際、
ＦＩＲ２１３の係数学習を指示する信号（ＴＲＥＱ＿ＥＮ）５１が入力されると、ＦＩＲ２１３の等化特性を示す係数を適応的に学習する手段としての係数学習回路（ＡＤＡＰＴ）２１８が起動し、
ＴＲＥＱ＿ＥＮ５１はＨＤＣ２２が出力する制御信号であり、
ＴＲＥＱ＿ＥＮは読み出し対象のセクタの１つ前のセクタの始まりで出力される。
　
（３）「【００２５】ＣＣＭ２０５では、図２に示すようにＦＩＲ２１３の出力値列５３の誤差をコンパレータ２０５ー７と減算器２０５−６で算出し、この結果を乗算器２０５−１を介して２乗値とし、更に加算器２０５−２とデータラッチ２０５−３とで積算することで統計測定を実施する。この統計測定はビット周期で実施される。ＴＲＥＱ＿ＥＮ５１が閉じ、１セクタ分の統計測定が終了時点で、この統計測定結果５５とＭＰ２４によって設定された誤差しきい値（ＥＴＨ）２０５−５とを比較器２０５−４で比較する。誤差しきい値（ＥＴＨ）２０５−５には、通常の環境変動等で生じ得る統計測定値を越え、明らかに係数学習結果が異常である状態を判定する数値が設定される。測定結果５５がＥＴＨ２０５−５より大きければ、適応学習が異常動作をしていると判断してＣＯＥＦ２１９の係数値を棄却する制御信号５２をＡＤＡＰＴ２１８に発行する。これによってＣＯＥＦ０２１９−１の初期係数値をＣＯＥＦ２１９に再設定する構成である。即ち、１セクタ毎に適応学習の動作をチェックし、異常がある場合はリアルタイムで学習結果を棄却することを可能とする。
リードゲート（ＲＧ）３７が入力されるのは、データ領域ＤＳ１からであり、ＲＧ３７ではＡＤＡＰＴ２１８を除くＲＳＰＣ２０１の殆どの部位を動作させてデータを再生する。
　
（４）「【００２８】図９に示すようにシーク後の位置ずれが比較的小さい場合について説明する。シーク命令（ＳＥＥＫ）４０がＭＰ２４からＳＲＶＣ２３に出されると、ＦＩＲ２１３の係数値を格納するＣＯＥＦ２１９には、Ｃｍに対応した初期係数Ｋｍ（ｉｎｉｔ）がＣＯＥＦ０ ２１９−１を介してセットされる。リードシークコンプリート信号（ＲＤ＿ＳＫ＿ＣＯＭＰ）４７がＨＤＣ２２に出力されると、
ＨＤＣ２２は係数学習用のゲート信号（ＴＲＥＱ＿ＥＮ）５１をデータ領域ＤＳ１に先行して出力する。ここで、ＴＲＥＱ＿ＥＮ５１をアクティブとする領域は、本実施例では図示するようにＤＳ１の１セクタ前のデータ領域（ＤＳ０）である。学習領域ＤＳ０もユーザーデータが記録されているセクタであるが、このセクタはリード対象のセクタ（ユーザにリード指定されたセクタ）以外のセクタである。
【００２９】この場合は、有効トラック幅が比較的広いことから、初期係数値Ｋｍ（ｉｎｉｔ）が環境変動等でずれていてもＡＤＡＰＴ２１８は正常に動作し、係数値Ｋｍを学習領域のＤＳ０内で逐次適応していき、ＦＩＲ２１３の出力の誤差は徐々に減少する。例えば、図９に示すようにＤＳ０の先頭部のＮＲＺ出力３４，３５にＣｈａｎｎｅｌ  Ｂｙｔｅ  Ｅｒｒｏｒが含まれる場合でも、このエラーは学習の進行に伴って減少する。温度や気圧等のＨＤＤ１０の動作環境の変化によって、ヘッド／ディスク特性やヘッドスペーシング等が変化し、再生信号３３の分解能が変動しても、ＣＯＥＦ２１９の係数値列は、良好な再生性能を与える係数値に逐次変更される。この時、チャネル状態測定回路（ＣＣＭ）２０５の統計測定結果５５は、ＥＴＨ２０５−５に比べて小さくなり、制御信号５２は出力されない。本実施例では、
適応学習した係数値は、リード対象のセクタでＣＯＥＦ２１９に固定され、この固定された係数値の下にＤＳ１以降のデータをリード（再生）し続ける。
　
　上記摘示事項及び図面の記載を総合勘案すると、引用例１には、次の発明（以下「引用発明」という。）が記載されているものと認める。
　
「磁気ディスクに記録されたデータを再生する再生回路を制御するハードディスクコントローラチップであって、
　再生されたデータをユーザー（ＨＯＳＴ  ＰＣ等）に出力し、
　データを再生する再生回路にリードゲートを出力し、
　リード対象のセクタ（ユーザにリード指定されたセクタ）以外のセクタで係数学習用のゲート信号を出力して、適応学習した係数値が、リード対象のセクタで固定されるように制御するハードディスクコントローラチップ。」
　
　同じく、原査定の拒絶の理由に引用された特開２００１−３１９３３３号公報（平成１３年１１月１６日公開、以下「引用例２」という。）には、図面と共に、以下の記載がある。
　
（５）「【００１５】
ディスク装置の周囲温度を、温度検出素子５７によって検出し、この検出された温度Ｔが、大きく変化したことが温度変化検出手段６２によって検出されたとき、調整制御手段は、ディスクの再生または記録に先立ち、全部調整モードを達成する。
温度変化が小さいときには、一部調整モードを実行する。
　
（６）「【００３１】処理回路５３には、メモリ手段５５が備えられる。メモリ手段５５は、個別的なメモリＭ１〜Ｍ３を備える。
温度検出素子５７は、本件ディスク再生装置の周囲温度を検出し、その検出温度Ｔを表す信号を、処理回路５３に与える。温度検出素子５７は、たとえばディスク再生装置のハウジング内に設けられ、各種の調整部分付近の温度を検出する。
　
（７）「【００４３】表２におけるフォーカシングバランスというのは、フォーカシングエラー検出回路２０における増幅器２３，２４のゲインのバランス調整を示す。フォーカシングサーボというのは、サーボ制御回路３１における増幅器２６のゲインの調整を示す。トラッキングバランスというのは、トラッキングエラー検出回路３０における増幅器３２，３３のゲインを調整する動作を示す。トラッキングサーボは、サーボ制御回路３１における増幅器３５のゲインを調整する動作を示す。
データ処理というのは、増幅器１６のゲインを調整する動作を示す。全部調整モードでは、
増幅器
１６のゲインが、表２の○印で示されるように、自動調整動作される。一部調整モードでは、
増幅器１６のゲインの自動調整動作は行われない。
　
　同じく、原査定の拒絶の理由に引用された特開平１１−３３９２１０号公報（平成１１年１２月１０日公開、以下「引用例３」という。）には、図面と共に、以下の記載がある。
　
（８）「【００１０】
【課題を解決するための手段】上記の課題を解決するため、通常のパラメータの自動調整機能を有するリード・ライト・チャネルＩＣを含む磁気ディスク装置において、さらに、
論理回路として、自動調整のタイミングゲート信号（図３の自動調整用ゲート信号２）を生成する手段と、該ゲート信号２とリードゲート信号１の論理和手段（論理和ゲート）とを追加し、該論理和手段の出力信号（論理和ゲート信号３）を前記のリード・ライト・チャネル・ＩＣのリードゲート入力とする構成とする。
　
４．対比
　
　そこで、本願発明と引用発明とを対比する。
　
（１）引用発明の「磁気ディスク」は、本願発明の「記録媒体」に相当する。引用発明の「再生回路」は、「磁気ディスク」に記録されたデータを再生するものであるから、本願発明の「再生手段」に相当する。引用発明の「ハードディスクコントローラチップ」は「再生回路」を制御するものであるから、本願発明の「回路」に相当する。
（２）引用発明の「ハードディスクコントローラチップ」は、再生されたデータをユーザー（ＨＯＳＴ  ＰＣ等）に出力するものであるから、本願発明の「再生されたデータをホスト・システムに転送する転送手段」の機能を有する。
（３）引用発明の「ハードディスクコントローラチップ」は、データを再生する再生回路にリードゲートを出力するものであるから、本願発明の「データを再生する再生手段のリードゲートをアサートする信号を出力する信号出力手段」の機能を有する。
（４）引用発明の「ハードディスクコントローラチップ」は、リード対象のセクタ（ユーザにリード指定されたセクタ）以外のセクタで係数学習用のゲート信号を出力して、適応学習した係数値が、リード対象のセクタで固定されるように制御するものであるから、引用発明と本願発明とは、「前記ホスト・システムから再生を指示された前記記録媒体内の第１のセクタ以外の前記第２のセクタに格納されたデータを再生する位置に再生ヘッドがある際に、」「信号を出力することにより、前記第２のセクタからデータが再生された後の再生回路適応結果を用いて再生手段を構成する回路を適応させ」る点において共通する。
　
　そうすると、本願発明と引用発明とは、次の点で一致する。
　
＜一致点＞
　
「記録媒体に記録されたデータを再生する再生手段を制御する回路であって、
　再生されたデータをホスト・システムに転送する転送手段と、
　データを再生する再生手段のリードゲートをアサートする信号を出力する信号出力手段とを備え、
　前記ホスト・システムから再生を指示された前記記録媒体内の第１のセクタ以外の前記第２のセクタに格納されたデータを再生する位置に再生ヘッドがある際に、信号を出力することにより、前記第２のセクタからデータが再生された後の再生回路適応結果を用いて再生手段を構成する回路を適応させる回路。」の点。
　
　そして、次の点で相違する。
　
＜相違点＞
　
（ａ）本願発明は、「環境温度又は装置内の温度を検出する温度検出手段が所定の条件を満たす温度変化を検出した場合に、」「再生回路適応結果を用いて再生手段を構成する回路を適応させ」るのに対し、引用発明は、そのようになされていない点。
　
（ｂ）本願発明は、「前記信号出力手段」が、「リードゲートをアサートする信号を出力することにより、」「再生回路適応結果を用いて再生手段を構成する回路を適応させ」るのに対し、引用発明は、「係数学習用のゲート信号を出力して、適応学習した係数値が、リード対象のセクタで固定されるように制御する」点。
　
（ｃ）本願発明は、「前記転送手段は、前記第２のセクタから再生されたデータを前記ホスト・システムに転送しない」のに対し、引用発明は、そのようになされていない点。
　
５．判断
　
　そこで、上記相違点について検討する。
　
相違点（ａ）について
　記録媒体に記録されたデータの再生に関して本願発明及び引用発明と同一の技術分野に属する引用例２には、ディスク装置の周囲温度が、大きく変化したことが温度変化検出手段によって検出されたとき、ディスクの再生に先立ち、増幅器のゲインが自動調整動作されることが記載されているから、引用発明において、「環境温度又は装置内の温度を検出する温度検出手段が所定の条件を満たす温度変化を検出した場合に、」「再生回路適応結果を用いて再生手段を構成する回路を適応させ」るようにすることは、当業者が容易に想到できることである。
　
相違点（ｂ）について
　記録媒体に記録されたデータの再生に関して本願発明及び引用発明と同一の技術分野に属する引用例３には、自動調整のタイミングゲート信号とリードゲート信号との論理和ゲート信号をリード・ライト・チャネル・ＩＣのリードゲート入力とする構成が記載されているから、引用発明において、「係数学習用のゲート信号を出力して、適応学習した係数値が、リード対象のセクタで固定されるように制御する」構成に代えて、係数学習用のゲート信号とリードゲートとの論理和ゲート信号を出力して、適応学習した係数値が、リード対象のセクタで固定されるように制御する、すなわち、「前記信号出力手段」が、「リードゲートをアサートする信号を出力することにより、前記第２のセクタからデータが再生された後の再生回路適応結果を用いて再生手段を構成する回路を適応させ」る構成を採用することは、当業者が容易に想到できることである。
　
相違点（ｃ）について
　引用発明の「ハードディスクコントローラチップ」は、リード対象のセクタ（ユーザにリード指定されたセクタ）から再生されたデータをユーザー（ＨＯＳＴ  ＰＣ等）に出力するものであるから、引用発明において、リード対象のセクタ（ユーザにリード指定されたセクタ）以外のセクタから再生されたデータをユーザー（ＨＯＳＴ  ＰＣ等）に出力しない、すなわち、「前記転送手段は、前記第２のセクタから再生されたデータを前記ホスト・システムに転送しない」ようにすることは、当業者にとって当然のことである。
　
　そして、上記相違点を総合的に判断しても、本願発明が奏する効果は引用例１ないし３から、当業者が十分に予測できたものであって、格別なものとはいえない。
　
６．むすび
　
　以上のとおり、本願の請求項６に係る発明は、引用例１ないし３に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　
　よって、結論のとおり審決する。